(57)【要約】      （修正有）【課題】改善された新規な構成のファンユニット及び電子機器を提供する。【解決手段】ファンユニット３は、遠心ファン３１と、ケーシング３２と、トレイ３３と、を備える。遠心ファンは、Ｙ方向に延びる回転中心回りに回転可能である。ケーシングは、遠心ファンを収容し、Ｙ方向の両側に開口する二つの第一吸気口３２ｅとＹ方向と交差したＸ方向に開口する第一排気口３２ｆとが設けられるとともに第一吸気口から第一排気口へ至る空気通路を構成する壁２ｍを有する。トレイは、ケーシングを支持し、Ｙ方向の一端に位置されるとともにＹ方向と交差し一つの第一吸気口と重なる第二吸気口３３ａ１が設けられた底壁３３ａと、Ｘ方向の一端に位置されるとともにＸ方向と交差し第一排気口と重なる第二排気口３３ｂ１が設けられた側壁３３ｂと、を有し、電子機器１に設けられた第一収容部の挿入口を側壁が覆う状態に取付可能である。【選択図】図３
2020140494.tif 000002
【特許請求の範囲】
【請求項１】
第一方向に延びる回転中心回りに回転可能な遠心ファンと、
前記遠心ファンを収容し、前記第一方向の両側に開口する二つの第一吸気口と前記第一方向と交差した第二方向に開口する第一排気口とが設けられるとともに前記第一吸気口から前記第一排気口へ至る空気通路を構成する壁を有したケーシングと、
前記ケーシングを支持し、前記第一方向の一端に位置されるとともに当該第一方向と交差し一つの前記第一吸気口と重なる第二吸気口が設けられた底壁と、前記第二方向の一端に位置されるとともに前記第二方向と交差し前記第一排気口と重なる第二排気口が設けられた側壁と、を有したトレイと、
を備え、電子機器に設けられた第一収容部の挿入口を前記側壁が覆う状態に取付可能な、ファンユニット。
【請求項２】
前記第二吸気口は、前記トレイに、前記ケーシングおよび前記遠心ファンに替えて補助記憶装置を取り付けた場合に、当該補助記憶装置のスピンドルモータと前記第一方向に重なる位置に、設けられている、請求項１に記載のファンユニット。
【請求項３】
前記第一収容部に収容された請求項１または２に記載のファンユニットと、
前記ファンユニットの前記底壁と重なるとともに前記第二吸気口と重なる第一貫通口が設けられた第一隔壁、を有した筐体と、
前記第一隔壁の前記第一収容部とは反対側に設けられた第二収容部に収容され、前記第一貫通口と前記第一方向に重なる位置に補助記憶装置のスピンドルモータを有した第一ドライブユニットと、
を備えた、電子機器。
【請求項４】
前記筐体は、前記ファンユニットの前記第一隔壁とは反対側で当該第一隔壁と平行に設けられ前記第一吸気口と前記第一方向に重なる第二貫通口が設けられた第二隔壁、を有し、
前記第二隔壁の前記第一収容部とは反対側に設けられた第三収容部に収容され、前記第二貫通口と前記第一方向に重なる位置に補助記憶装置のスピンドルモータを有した第二ドライブユニットを備えた、請求項３に記載の電子機器。
【発明の詳細な説明】
【技術分野】
【０００１】
本発明の実施形態は、ファンユニットおよび電子機器に関する。
【背景技術】
【０００２】
従来、軸流ファンと、軸流ファンを収容し第一吸気口および第一排気口が設けられたケーシングと、を備え、電子機器に設けられた収容部に取付可能に構成されたファンユニットが、知られている。
【先行技術文献】
【特許文献】
【０００３】
【特許文献１】特開平１１−１１２１７９号公報
【発明の概要】
【発明が解決しようとする課題】
【０００４】
この種のファンユニットでは、より不都合が少なくなるよう改善された新規な構成が得られれば、有益である。
【課題を解決するための手段】
【０００５】
実施形態のファンユニットは、遠心ファンと、ケーシングと、トレイと、を備える。遠心ファンは、第一方向に延びる回転中心回りに回転可能である。ケーシングは、遠心ファンを収容し、第一方向の両側に開口する二つの第一吸気口と第一方向と交差した第二方向に開口する第一排気口とが設けられるとともに第一吸気口から第一排気口へ至る空気通路を構成する壁を有する。トレイは、ケーシングを支持し、第一方向の一端に位置されるとともに当該第一方向と交差し一つの第一吸気口と重なる第二吸気口が設けられた底壁と、第二方向の一端に位置されるとともに第二方向と交差し第一排気口と重なる第二排気口が設けられた側壁と、を有し、電子機器に設けられた第一収容部の挿入口を側壁が覆う状態に取付可能である。
【図面の簡単な説明】
【０００６】
【図１】図１は、実施形態のファンユニットを搭載した電子機器の例示的な斜視図である。
【図２】図２は、実施形態のファンユニットの例示的な斜視図である。
【図３】図３は、実施形態の電子機器のファンユニット近傍の例示的な断面図である。
【発明を実施するための形態】
【０００７】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【０００８】
なお、本明細書では、序数は、部品や、部材、部位、位置、方向等を区別するためだけに用いられており、順番や優先度を示すものではない。
【０００９】
［実施形態］
図１は、ファンユニット３を搭載した電子機器１の斜視図である。なお、以下の各図では、便宜上、互いに直交する三方向が定義されている。Ｘ方向は、電子機器１の前後方向に沿うとともに、ファンユニット３の長手方向に沿う。Ｙ方向は、電子機器１の幅方向（左右方向）に沿うとともに、ファンユニット３の厚さ方向（軸方向）に沿う。Ｚ方向は、電子機器１の高さ方向（上下方向）に沿うとともに、ファンユニット３の幅方向（短手方向）に沿う。
【００１０】
図１に示されるように、電子機器１は、ラックマウント型の産業用コンピュータとして構成されている。電子機器１は、筐体２や、ファンユニット３、電源装置４、基板５、ドライブユニット６〜８、拡張カード９、ダクト１０等を備えている。なお、電子機器１は、この例には限定されず、デスクトップ型のパーソナルコンピュータや、ノートブック型のパーソナルコンピュータ等であってもよい。
【００１１】
図１に示されるように、筐体２は、Ｚ方向に薄い直方体状の箱型に構成されている。筐体２は、底壁２ａや、不図示の天壁、前壁２ｃ、左壁２ｄ、後壁２ｅ、右壁２ｆ等の複数の壁部を有している。底壁２ａは、下壁とも称され、天壁は、上壁とも称される。また、前壁２ｃ、左壁２ｄ、後壁２ｅ、および右壁２ｆは、側壁や、周壁、立壁等とも称される。
【００１２】
底壁２ａおよび天壁（不図示）は、いずれも、Ｚ方向と直交する方向（ＸＹ平面）に沿って延びており、Ｚ方向に間隔をあけて互いに平行に設けられている。底壁２ａには、Ｚ方向の他方に突出し、筐体２を不図示の棚や、机、台等の載置部から離間した状態に支持する複数の支持部が設けられている。支持部は、脚やゴム脚等とも称される。
【００１３】
左壁２ｄおよび右壁２ｆは、いずれも、Ｙ方向と直交する方向（ＸＺ平面）に沿って延びており、Ｙ方向に間隔をあけて互いに平行に設けられている。左壁２ｄは、底壁２ａおよび天壁のＹ方向の一端部の間に亘り、右壁２ｆは、底壁２ａおよび天壁のＹ方向の他端部の間に亘っている。
【００１４】
前壁２ｃおよび後壁２ｅは、いずれも、Ｘ方向と直交する方向（ＹＺ平面）に沿って延びており、Ｘ方向に間隔をあけて互いに平行に設けられている。前壁２ｃは、底壁２ａおよび天壁のＸ方向の一端部の間に亘り、後壁２ｅは、底壁２ａおよび天壁のＸ方向の他端部の間に亘っている。
【００１５】
前壁２ｃには、吸気口２ｒと、複数の挿入口２ｓ，２ｔと、が設けられている。挿入口２ｓは、吸気口２ｒのＹ方向の他方にずれて位置されている。挿入口２ｔは、挿入口２ｓと吸気口２ｒとの間に位置されている。挿入口２ｔには、ドライブユニット８が挿入され、挿入口２ｓには、ファンユニット３およびドライブユニット６，７が挿入されている。
【００１６】
吸気口２ｒは、メッシュ等の覆部材１３によって覆われている。吸気口２ｒの内側には、Ｙ方向に並んだ二つのファン１１，１２が取り付けられている。ファン１１，１２は、Ｘ方向に延びる回転中心回りの回転により、筐体２内に空気を導入する吸気ファンである。なお、ファン１１，１２は、この例には限定されず、回転中心回りの回転により、筐体２外へ空気を排出する排気ファンであってもよい。ファン１１，１２は、軸流ファンとも称される。
【００１７】
後壁２ｅには、排気口２ｐが設けられている。排気口２ｐは、後壁２ｅに設けられた複数の小孔２ｐ１が集まった部分として構成されている。排気口２ｐは、拡張カード９や、ダクト１０内の発熱部品等と熱交換を行ったファン１１，１２からの冷却風（空気流）を筐体２外に排出可能である。
【００１８】
また、筐体２は、ケース２１や、不図示のカバー等の複数の部品（分割体）を有している。ケース２１は、少なくとも、底壁２ａと、前壁２ｃおよび後壁２ｅと、左壁２ｄおよび右壁２ｆと、を含み、カバーは、少なくとも天壁を含む。カバーは、底壁２ａ、前壁２ｃ、左壁２ｄ、後壁２ｅ、および右壁２ｆによって囲まれた開口部２ｇを覆った状態で、ねじ等の結合具によってケース２１と結合されている。筐体２は、ステンレス鋼等の金属材料によって構成されている。
【００１９】
図１に示されるように、ドライブユニット６，７は、筐体２内において、前壁２ｃと右壁２ｆとの間の隅部に位置されている。ドライブユニット６，７は、後述するＨＤＤ（hard  disk  drive）装置６１，７１（図３参照）と、ＨＤＤ装置６１，７１を支持するトレイ６２，７２と、を有している。ＨＤＤ装置６１，７１は、補助記憶装置の一例である。
【００２０】
なお、補助記憶装置は、この例には限定されず、ＳＳＤ（solid  state  drive）装置等であってもよい。本実施形態では、二つのドライブユニット６，７がＹ方向に互いに間隔をあけて並んでいる。
【００２１】
そして、本実施形態では、二つのドライブユニット６，７の間にファンユニット３が取付可能に構成されている。ファンユニット３およびドライブユニット６，７は、それぞれのＸ方向の一端部が挿入口２ｓから露出した状態で、ローレットネジ１４によって前壁２ｃに固定されている。
【００２２】
ドライブユニット８は、ドライブユニット６とファン１２との間に位置されている。ドライブユニット８は、ＯＤＤ（optical  disk  drive）装置８１を有している。ドライブユニット８は、Ｘ方向の一端部が挿入口２ｔから露出した状態で、前壁２ｃに固定されている。
【００２３】
電源装置４は、筐体２内において、後壁２ｅと右壁２ｆとの間の隅部に位置されている。言い換えると、電源装置４は、ドライブユニット６，７およびファンユニット３とＸ方向に間隔をあけて並んでいる。電源装置４は、当該電源装置４の内部を冷却する不図示のファン等を有している。
【００２４】
基板５は、底壁２ａとＺ方向に間隔をあけて平行に設けられた四角形状の板状に構成されている。基板５は、筐体２内において、後壁２ｅと左壁２ｄとの間の隅部に寄せて位置されている。言い換えると、基板５の大きさは、底壁２ａの大きさよりも小さい。基板５は、吸気口２ｒとＸ方向に間隔をあけて並んでいる。基板５は、メイン基板や、第一基板、回路基板、制御基板等とも称されうる。
【００２５】
拡張カード９は、基板５に設けられた拡張スロットに装着されている。拡張カード９は、ＲＡＩＤ（redundant  arrays  of  inexpensive  disks）カードや、ＰＣＩ（peripheral  component  interconnect）カード等である。拡張カード９は、互いにＹ方向に間隔をあけて左壁２ｄと平行に設けられている。
【００２６】
また、基板５のＺ方向の上面には、ＣＰＵ（central  processing  unit）や、ＲＯＭ（read  only  memory）、ＲＡＭ（random  access  memory）等の複数の電子部品が実装されている。基板５内の配線とこれら複数の電子部品とによって、電子機器１の制御回路の少なくとも一部が構成されている。
【００２７】
ダクト１０は、基板５に設けられたＣＰＵを底壁２ａとは反対側から覆っている。ダクト１０は、ファン１２と後壁２ｅの排気口２ｐとの間に亘って設けられている。本実施形態では、ファン１２からの冷却風（空気流）は、ダクト１０内を流れ、ＣＰＵおよびＣＰＵに取り付けられたヒートシンクを経由（通過）して、排気口２ｐから排出される。これにより、発熱部品としてのＣＰＵおよびヒートシンクの冷却性が高められている。
【００２８】
また、本実施形態では、ファン１１からの冷却風（空気流）の少なくとも一部は、拡張カード９と天壁との間の隙間やファン１１と拡張カード９との間の隙間等を介して、右壁２ｆ側に流れる。そして、電源装置４のファンを経由して後壁２ｅからＸ方向の他方に排出されるとともに、ファンユニット３を経由して前壁２ｃからＸ方向の一方に排出される。これにより、ドライブユニット６，７の冷却性が高められている。
【００２９】
次に、ファンユニット３についてより詳しく説明する。図２は、ファンユニット３の斜視図である。図２に示されるように、ファンユニット３は、遠心ファン３１や、ケーシング３２、トレイ３３、基板３４、活栓挿抜コネクタ３５、ケーブル３６、電源コネクタ３７等を有している。
【００３０】
遠心ファン３１は、ケーシング３２に収容され、Ｙ方向に延びる回転中心Ａｘ回りに回転可能なブレード３１ａを有している。遠心ファン３１は、ブレード３１ａの回転中心Ａｘ回りの回転により、Ｙ方向の両側に開口する二つの吸気口３２ｅからケーシング３２内に吸入され、Ｘ方向に開口する排気口３２ｆから排出される、空気流Ｗ（図３参照）を生成する所謂シロッコファン（ブロアファン）である。なお、遠心ファン３１は、羽根車とも称されうる。また、Ｙ方向は、第一方向の一例であり、Ｘ方向は、第二方向の一例である。
【００３１】
ケーシング３２は、複数の壁３２ａ〜３２ｃを有している。壁３２ａ，３２ｂは、いずれも、Ｙ方向と直交する方向（ＸＺ平面）に沿って延びており、Ｙ方向に間隔をあけて互いに平行に設けられている。壁３２ａ，３２ｂには、それぞれ、遠心ファン３１とＹ方向に重なる位置に吸気口３２ｅが設けられている。吸気口３２ｅは、第一吸気口の一例である。
【００３２】
壁３２ｃは、壁３２ａの周縁部と壁３２ｂの周縁部との間に亘っている。壁３２ａ〜３２ｃのＸ方向の一端部には、四角形状の排気口３２ｆが設けられている。排気口３２ｆは、後述するトレイ３３の側壁３３ｂに沿ってＺ方向に細長く延びている。壁３２ａ〜３２ｃは、吸気口３２ｅから排気口３２ｆへ至る空気通路３２ｇを構成している。排気口３２ｆは、第一排気口の一例である。
【００３３】
トレイ３３は、底壁３３ａや、側壁３３ｂ、端壁３３ｃ等を有している。底壁３３ａは、Ｙ方向と直交する方向（ＸＺ平面）に沿って延びている。底壁３３ａは、ケーシング３２のＹ方向の一端に位置され、壁３２ａを支持する。底壁３３ａには、壁３２ａの吸気口３２ｅとＹ方向に重なる位置に吸気口３３ａ１（図３参照）が設けられている。吸気口３３ａ１は、第二吸気口の一例である。
【００３４】
側壁３３ｂは、底壁３３ａのＸ方向の一端部に設けられ、Ｘ方向と直交する方向（ＹＺ平面）に沿って延びている。側壁３３ｂのＹ方向に沿った幅は、ケーシング３２のＹ方向に沿った幅よりも大きい。言い換えると、側壁３３ｂの先端部とケーシング３２の壁３２ｂとの間には、Ｘ方向に延びる隙間（通路、図３参照）が設けられている。
【００３５】
また、側壁３３ｂは、ケーシング３２のＸ方向の一端に位置され、壁３２ａ〜３２ｃのＸ方向の端面を支持する。側壁３３ｂには、排気口３２ｆとＸ方向に重なる位置に排気口３３ｂ１が設けられている。排気口３３ｂ１は、側壁３３ｂに設けられた複数の小孔が集まった部分として構成されている。排気口３３ｂ１は、第二排気口の一例である。
【００３６】
端壁３３ｃは、底壁３３ａのＺ方向の両端部に設けられ、Ｚ方向と直交する方向（ＸＹ平面）に沿って延びている。端壁３３ｃのＹ方向に沿った幅は、ケーシング３２のＹ方向に沿った幅よりも小さい。端壁３３ｃの一方とケーシング３２との間には、遠心ファン３１のモータから延びたケーブル３６が配索されている。
【００３７】
基板３４は、底壁３３ａの側壁３３ｂとは反対側の他端部に設けられている。基板３４は、底壁３３ａと平行に延び、底壁３３ａに支持されている。基板３４には、活栓挿抜コネクタ３５や、電源コネクタ３７が設けられている。活栓挿抜コネクタ３５および電源コネクタ３７は、ファンユニット３が後述する筐体２の収容部２ｕ（図３参照）に装着されることにより、筐体２側の不図示のコネクタと機械的かつ電気的に接続可能に構成されている。
【００３８】
次に、ファンユニット３による冷却構造についてより詳しく説明する。図３は、電子機器１のファンユニット３近傍の例示的な断面図である。図３に示されるように、筐体２は、ファンユニット３およびドライブユニット６，７を収容する収容部２ｕ〜２ｗを構成する複数の隔壁２ｈ〜２ｎを有している。隔壁２ｈ〜２ｎには、複数の貫通口が設けられている。
【００３９】
隔壁２ｈおよび隔壁２ｉは、底壁２ａと天壁との間に位置され、互いにＺ方向に間隔をあけて底壁２ａと平行に設けられている。隔壁２ｈおよび隔壁２ｉは、収容部２ｕ〜２ｗのＺ方向の両側を覆っている。
【００４０】
隔壁２ｊおよび隔壁２ｋは、左壁２ｄと右壁２ｆとの間に位置され、互いにＹ方向に間隔をあけて右壁２ｆと平行に設けられている。隔壁２ｊおよび隔壁２ｉｋは、収容部２ｕ〜２ｗのＹ方向の両側を覆っている。隔壁２ｊには、Ｘ方向に並んで複数の貫通口２ｊ１が設けられている。
【００４１】
なお、隔壁２ｊの隔壁２ｋとは反対側には、隔壁２ｊと平行に延びた隔壁２ｙが設けられている。本実施形態では、隔壁２ｊと隔壁２ｙとの間には、ドライブユニット８を収容する収容部２ｘが設けられている。収容部２ｘは、前壁２ｃの挿入口２ｔと連通している。挿入口２ｔは、収容部２ｘのＸ方向の開方端を構成している。
【００４２】
隔壁２ｌは、前壁２ｃと後壁２ｅとの間に位置され、前壁２ｃと平行に設けられている。隔壁２ｌには、複数の貫通口２ｌ１が設けられている。貫通口２ｌ１の少なくとも一つは、ファンユニット３の収容部２ｕとＸ方向に重なる位置に設けられ、収容部２ｕと隔壁２ｌの収容部２ｕとは反対側（電源装置４側）の空間とを連通している。収容部２ｕは、第一収容部の一例である。貫通口２ｌ１は、入口開口等とも称される。
【００４３】
また、貫通口２ｌ１の少なくとも一つは、ドライブユニット６の収容部２ｖとＸ方向に重なる位置に設けられている。これにより、収容部２ｖと隔壁２ｌの収容部２ｖとは反対側の空間とを連通している。収容部２ｖは、第二収容部の一例であり、ドライブユニット６は、第一ドライブユニットの一例である。
【００４４】
さらに、貫通口２ｌ１の少なくとも一つは、ドライブユニット７の収容部２ｗとＸ方向に重なる位置に設けられている。これにより、収容部２ｗと隔壁２ｌの収容部２ｗとは反対側の空間とを連通している。収容部２ｗは、第三収容部の一例であり、ドライブユニット７は、第二ドライブユニットの一例である。
【００４５】
隔壁２ｍおよび隔壁２ｎは、隔壁２ｊと隔壁２ｋとの間に位置され、互いにＹ方向に間隔をあけて隔壁２ｊ，２ｋと平行に設けられている。隔壁２ｍ，２ｎは、上述した三つの収容部２ｕ〜２ｗをＹ方向に仕切っている。収容部２ｕ〜２ｗは、それぞれ前壁２ｃの挿入口２ｓと連通している。挿入口２ｓは、収容部２ｕ〜２ｗのＸ方向の開方端を構成している。
【００４６】
また、隔壁２ｍには、複数の貫通口２ｍ１が設けられている。貫通口２ｍ１は、ファンユニット３の収容部２ｕとドライブユニット６の収容部２ｖとをＹ方向に連通している。また、貫通口２ｍ１の少なくとも一部は、トレイ３３の吸気口３３ａ１とＹ方向に重なる位置に設けられている。隔壁２ｍは、第一隔壁の一例であり、貫通口３ｍ１は、第一貫通口の一例である。
【００４７】
また、隔壁２ｎには、複数の貫通口２ｎ１が設けられている。貫通口２ｎ１は、ファンユニット３の収容部２ｕとドライブユニット７の収容部２ｗとをＹ方向に連通している。また、貫通口２ｎ１の少なくとも一部は、壁３２ｂの吸気口３２ｅとＹ方向に重なる位置に設けられている。隔壁２ｎは、第二隔壁の一例であり、貫通口３ｎ１は、第一貫通口の一例である。
【００４８】
ファンユニット３およびドライブユニット６，７は、挿入口２ｓをそれぞれのトレイ３３，６２，７２の側壁３３ｂ，６２ｂ，７２ｂが覆う状態に取付可能である。そして、本実施形態では、ファンユニット３およびドライブユニット６，７が各収容部２ｕ〜２ｗに装着された状態では、吸気口３２ｅ，３３ａ１、貫通口２ｍ１，２ｎ１、およびＨＤＤ装置６１，７１のスピンドルモータ６３，７３がＹ方向に並んで配置されている。これにより、スピンドルモータ６３，７３の冷却性が高められている。スピンドルモータ６３，７３は、発熱体の一例である。
【００４９】
なお、吸気口３３ａ１は、トレイ３３にケーシング３２および遠心ファン３１に替えてＨＤＤ装置８２を取り付けた場合に、ＨＤＤ装置８２のスピンドルモータ８３とＹ方向に重なる位置に設けられている。ＨＤＤ装置８２の仕様は、ＨＤＤ装置６１，７１の仕様と同じである。ＨＤＤ装置８２は、補助記憶装置の一例である。
【００５０】
また、トレイ６２，７２の底壁６２ａ，７２ａには、それぞれ互いに間隔をあけて複数の貫通口６２ａ１，７２ａ１が設けられている。本実施形態では、貫通口６２ａ１，７２ａ１の少なくとも一部は、吸気口３２ｅおよびスピンドルモータ６３，７３とＹ方向に重なる位置に設けられている。
【００５１】
以上のように、本実施形態では、ファンユニット３は、遠心ファン３１を収容し、Ｙ方向（第一方向）の両側に開口する二つの吸気口３２ｅ（第一吸気口）とＸ方向（第二方向）に開口する排気口３２ｆ（第一排気口）とが設けられるとともに吸気口３２ｅから排気口３２ｆへ至る空気通路３２ｇを構成する壁３２ａ〜３２ｃを有したケーシング３２と、ケーシング３２を支持し、一つの吸気口３２ｅと重なる吸気口３３ａ１（第二吸気口）が設けられた底壁３３ａと、排気口３２ｆと重なる排気口３３ｂ１（第二排気口）が設けられた側壁３３ｂと、を有したトレイ３３と、を備え、電子機器１に設けられた収容部２ｕ（第一収容部）の挿入口２ｓを側壁３３ｂが覆う状態に取付可能である。
【００５２】
このような構成によれば、ファンユニット３のＹ方向の両側にドライブユニット６，７が配置された場合に、二つの吸気口３２ｅから吸入され空気通路３２ｇを経由して排気口３２ｆから排出される空気流Ｗを利用して、ドライブユニット６，７を冷却することができる。
【００５３】
また、本実施形態では、吸気口３３ａ１は、トレイ３３に、ケーシング３２および遠心ファン３１に替えてＨＤＤ装置８２（補助記憶装置）を取り付けた場合に、当該ＨＤＤ装置８２のスピンドルモータ８３とＹ方向に重なる位置に、設けられている。
【００５４】
このような構成によれば、ファンユニット３に隣接してＨＤＤ装置８２と同様のＨＤＤ装置６１を有したドライブユニット６が配置された場合に、吸気口３３ａ１がスピンドルモータ６３とＹ方向に重なる位置に配置されやすい。よって、ＨＤＤ装置６１のケースの壁の一部のようなスピンドルモータ６３の発熱によって温度が高くなっている部位を冷却することができ、ひいてはスピンドルモータ６３の温度上昇をより効果的に抑制することができる。
【００５５】
また、本実施形態では、電子機器１は、収容部２ｕに収容されたファンユニット３と、ファンユニット３の底壁３３ａと重なるとともに吸気口３３ａ１と重なる貫通口２ｍ１（第一貫通口）が設けられた隔壁２ｍ（第一隔壁）を有した筐体２と、隔壁２ｍの収容部２ｕとは反対側に設けられた収容部２ｖ（第二収容部）に収容され、貫通口２ｍ１とＹ方向に重なる位置にＨＤＤ装置６１のスピンドルモータ６３を有したドライブユニット６（第一ドライブユニット）と、を備える。
【００５６】
このような構成によれば、スピンドルモータ６３が貫通口２ｍ１および吸気口３３ａ１，３２ｅとＹ方向に重ならずにＸ方向にずれて配置された場合と比較して、ＨＤＤ装置６１におけるスピンドルモータ６３の発熱によって温度が高くなっている部位を冷却することができ、ひいてはスピンドルモータ６３の温度上昇をより効果的に抑制することができる。
【００５７】
また、本実施形態では、筐体２は、ファンユニット３の隔壁２ｍとは反対側で当該隔壁２ｍと平行に設けられ吸気口３２ｅとＹ方向に重なる貫通口２ｎ１（第二貫通口）が設けられた隔壁２ｎ（第二隔壁）を有し、隔壁２ｎの収容部２ｕとは反対側に設けられた収容部２ｗ（第三収容部）に収容され、貫通口２ｎ１とＹ方向に重なる位置にＨＤＤ装置７１のスピンドルモータ７３を有したドライブユニット７（第二ドライブユニット）を備える。
【００５８】
このような構成によれば、スピンドルモータ７３が貫通口２ｎ１および吸気口３２ｅとＹ方向に重ならずにＸ方向にずれて配置された場合と比較して、ＨＤＤ装置７１におけるスピンドルモータ７３の発熱によって温度が高くなっている部位を冷却することができ、ひいてはスピンドルモータ７３の温度上昇をより効果的に抑制することができる。
【００５９】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００６０】
１…電子機器、２…筐体、２ｍ…隔壁（第一隔壁）、２ｍ１…貫通口（第一貫通口）、２ｎ…隔壁（第二隔壁）、２ｎ１…貫通口（第二貫通口）、２ｓ…挿入口、２ｕ…収容部（第一収容部）、２ｖ…収容部（第二収容部）、２ｗ…収容部（第三収容部）、３…ファンユニット、６…ドライブユニット（第一ドライブユニット）、７…ドライブユニット（第二ドライブユニット）、３１…遠心ファン、３２…ケーシング、３２ａ〜３２ｃ…壁、３２ｅ…吸気口（第一吸気口）、３２ｆ…排気口（第一排気口）、３２ｇ…空気通路、３３…トレイ、３３ａ…底壁、３３ａ１…吸気口（第二吸気口）、３３ｂ…側壁、３３ｂ１…排気口（第二排気口）、６１，７１，８１…ＨＤＤ装置（補助記憶装置）、６３，７３，８３…スピンドルモータ、Ａｘ…回転中心、Ｘ…第二方向、Ｙ…第一方向。
【図１】
2020140494.tif 000003
【図２】
2020140494.tif 000004
【図３】
2020140494.tif 000005